【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】画像読取方法およびシステム、画像データ処理装置
【手続補正２】
【補正対象書類名】明細書
【補正対象項目名】特許請求の範囲
【補正方法】変更
【補正の内容】
【特許請求の範囲】
【請求項１】  ネットワークに接続された少なくとも１つの画像読取装置を有し、前記画像読取装置で原稿を読み取って得た読取画像を前記ネットワークに接続された他の装置へ転送する画像読取方法において、
前記画像読取装置での画像の読取条件をジョブテンプレートに記述し、
前記画像読取装置は、前記ジョブテンプレートに記述された読取条件に基づいて原稿を読み取り、該読取画像を前記他の装置に送信する
ことを特徴とする画像読取方法。
【請求項２】  前記ジョブテンプレートは、
前記ネットワークに接続されたサーバに登録されており、前記画像読取装置は、ポーリングにより前記サーバから前記ジョブテンプレートを取得することを特徴とする請求項１記載の画像読取方法。
【請求項３】  前記ポーリングは、
予め設定された間隔で定期的に行われることを特徴とする請求項２記載の画像読取方法。
【請求項４】  前記ポーリングは、
原稿の読み取り準備の開始とともに禁止され、該禁止は前記原稿の読み取り後に解除されることを特徴とする請求項３記載の画像読取方法。
【請求項５】  前記ポーリングは、
ユーザの指示に基づいて行われ、該ユーザの指示は、前記ポーリングの禁止に優先して実行されることを特徴とする請求項４記載の画像読取方法。
【請求項６】  前記画像読取装置は、
前記ジョブテンプレートの記述内容を表示するとともに、ユーザによる記述内容の変更を受け付けることを特徴とする請求項１記載の画像読取方法。
【請求項７】  前記画像読取装置は、
原稿読み取りの実行状態に関わらず前記記述内容の変更を受け付けることを特徴とする請求項６記載の画像読取方法。
【請求項８】  前記ジョブテンプレートに、
前記読取画像に対する処理命令をさらに記述し、
前記画像読取装置は、前記読取画像とともに前記ジョブテンプレートを前記他の装置に送信し、
前記他の装置は、
受信した読取画像に対し前記ジョブテンプレートに記述された処理命令に対応した処理を施す
ことを特徴とする請求項１または２記載の画像読取方法。
【請求項９】  前記処理命令は、
スクリプトとして記述されることを特徴とする請求項８記載の画像読取方法。
【請求項１０】  前記処理命令は、
分散オブジェクトの呼び出し命令であることを特徴とする請求項８記載の画像読取方法。
【請求項１１】  前記他の装置は、
データベースであり、前記処理命令は、前記読取画像の前記データベースへの登録処理命令であることを特徴とする請求項８記載の画像読取方法。
【請求項１２】  前記ジョブテンプレートに、
前記読取画像の転送先をさらに記述し、
前記画像読取装置は、
前記読取画像を前記ジョブテンプレートに記述された転送先に転送することを特徴とする請求項１または２記載の画像読取方法。
【請求項１３】  前記ジョブテンプレートの記述内容は、
ユーザにより前記画像読取装置を介して変更され、
前記画像読取装置は、
前記変更を履歴として記録する
ことを特徴とする請求項１２記載の画像読取方法。
【請求項１４】  前記画像読取装置は、
前記ジョブテンプレートに対して前記読取画像の転送先の設定若しくは変更を行う際に、転送先の候補をツリー表示することを特徴とする請求項１２記載の画像読取方法。
【請求項１５】  前記他の装置は、
ＷＷＷサーバであり、前記読取画像は、前記ＷＷＷサーバに格納されるウェブページにリンクされることを特徴とする請求項１２記載の画像読取方法。
【請求項１６】  前記読取画像は、
前記ウェブページの書き換えを指示した処理命令とともに前記ＷＷＷサーバに送信されることを特徴とする請求項１５記載の画像読取方法。
【請求項１７】  前記他の装置は、
メールサーバとファックスサーバとプリントサーバとのうちのいずれかであり、前記読取画像はメールとファックスとのいずれかによる送信若しくはプリンタから印刷されることを特徴とする請求項１２記載の画像読取方法。
【請求項１８】  ネットワークに接続された少なくとも１つの画像読取装置を有し、前記画像読取装置で原稿を読み取って得た読取画像を前記ネットワークに接続された他の装置へ転送する画像読取システムにおいて、
前記画像読取装置は、画像の読取条件を記述したジョブテンプレートに基づいて原稿を読み取る原稿読取手段と、
前記原稿読取手段で読み取った読取画像を前記他の装置に送信する送信手段と、
前記ジョブテンプレートに対する読取条件の記述若しくは変更を行う編集手段と
を具備することを特徴とする画像読取システム。
【請求項１９】  前記ジョブテンプレートは、
前記ネットワークに接続されたサーバに登録されており、
前記画像読取装置は、ポーリングにより前記サーバから前記ジョブテンプレートを取得するジョブテンプレート取得手段と、
前記ジョブテンプレート取得手段が取得したジョブテンプレートを記憶するジョブテンプレート記憶手段と
をさらに具備することを特徴とする請求項１８記載の画像読取システム。
【請求項２０】  前記ジョブテンプレート取得手段は、
予め設定された間隔で定期的にポーリングを行うことを特徴とする請求項１９記載の画像読取システム。
【請求項２１】  前記ジョブテンプレート取得手段は、
原稿の読み取り準備の開始とともに前記ポーリングを禁止し、前記原稿読取手段による原稿の読み取り後に前記ポーリングを再開することを特徴とする請求項２０記載の画像読取システム。
【請求項２２】  前記ジョブテンプレート取得手段は、
前記ポーリングを禁止している際に、ユーザからのポーリング指示を受け付けた場合に、該ユーザの指示を優先して前記ポーリングを行うことを特徴とする請求項２１記載の画像読取システム。
【請求項２３】  前記画像読取装置は、
前記ジョブテンプレートの記述内容を表示する表示手段をさらに具備することを特徴とする請求項１８記載の画像読取システム。
【請求項２４】  前記編集手段は、
原稿読み取りの実行状態に関わらず前記記述内容の変更を受け付けることを特徴とする請求項１８記載の画像読取システム。
【請求項２５】  前記ジョブテンプレートは、
前記読取条件とともに前記読取画像に対する処理命令が記述され、
前記送信手段は、
前記読取画像とともに前記ジョブテンプレートを前記他の装置に送信し、
前記他の装置は、
受信したジョブテンプレートに記述された処理命令の解釈および実行を行う命令実行手段を具備する
ことを特徴とする請求項１８または１９記載の画像読取システム。
【請求項２６】  前記処理命令は、
スクリプトとして記述されることを特徴とする請求項２５記載の画像読取システム。
【請求項２７】  前記処理命令は、
分散オブジェクトの呼び出し命令であることを特徴とする請求項２５記載の画像読取システム。
【請求項２８】  前記他の装置は、
データベースであり、
前記処理命令は、前記読取画像の前記データベースへの登録処理命令であることを特徴とする請求項２５記載の画像読取システム。
【請求項２９】  前記ジョブテンプレートは、
前記読取条件とともに前記読取画像に対する処理命令が記述され、
前記送信手段は、
前記読取画像を前記ジョブテンプレートに記述された転送先に転送する
ことを特徴とする請求項１８または１９記載の画像読取システム。
【請求項３０】  前記画像読取装置は、
前記編集手段によるジョブテンプレートの変更を履歴として記録する変更履歴記録手段をさらに具備することを特徴とする請求項２９記載の画像読取システム。
【請求項３１】  前記画像読取装置は、
前記読取画像の転送先の候補をツリー表示するとともに、選択された候補を前記読取画像の転送先として設定する転送先表示設定手段をさらに具備し、
前記編集手段は、
前記ジョブテンプレートに記述された前記読取画像の転送先を前記転送先表示設定手段により設定された転送先に変更する
ことを特徴とする請求項２９記載の画像読取システム。
【請求項３２】  前記他の装置は、
ＷＷＷサーバであり、
前記画像読取装置は、
前記ＷＷＷサーバに格納されるウェブページを表示する表示手段と、
前記読取画像を前記表示手段に表示したウェブページの所定の位置にリンクさせる設定を前記ジョブテンプレートに対して行う転送先設定手段と
をさらに具備することを特徴とする請求項２９記載の画像読取システム。
【請求項３３】  前記転送先設定手段は、
前記ウェブページの書き換えを指示した処理命令を生成し、
前記送信手段は、
前記読取画像とともに前記処理命令を前記ＷＷＷサーバに送信する
ことを特徴とする請求項３２記載の画像読取システム。
【請求項３４】  前記他の装置は、
メールサーバとファックスサーバとプリントサーバとのうちのいずれかであり、前記読取画像はメールとファックスとのいずれかによる送信若しくはプリンタから印刷されることを特徴とする請求項２９記載の画像読取システム。
【請求項３５】  ネットワークを介して他の装置との情報の通信を行なう通信手段と、
画像を読み取る画像議取手段と、
前記画像読取手段が読み取った画像に対して施す処理の内容を含む処理情報を前記通信手段を介して他の装置から受け取る受信手段と、
前記受信手段が受け取った処理情報に基づく処理を施す処理手段と
を具備することを特徴とする画像データ処理装置。
【請求項３６】  前記処理情報は、送信先に関する情報を含み、
前記処理手段は、前記画像読取手段が読み取った画像を前記送信先に関する情報に基づいて前記通信手段を介して送信する処理を行なう
ことを特徴とする請求項３５記載の画像データ処理装置。
【請求項３７】  前記処理情報は、前記画像読取手段が画像を読み取った画像に対して施す変換に関する情報を含み、
前記処理手段は、前記画像読取手段が読み取った画像に対して前記変換に関する情報に基づいて変換処理を行なう
ことを特徴とする請求項３５記載の画像データ処理装置。
【請求項３８】  前記変換に関する情報は、符号化に関するものであり、
前記処理手段は、符号化処理を行なう
ことを特徴とする請求項３７記載の画像データ処理装置。
【請求項３９】  前記変換に関する情報は、倍率に関するものであり、
前記処理手段は、変倍変換処理を行なう
ことを特徴とする請求３７記載の画像データ処理装置。
【請求項４０】  前記処理情報は、さらに送信先に関する情報を含み、
前記処理手段は前記変換に関する情報に基づく変換が施された画像を前記送信先に関する情報に基づいて前記通信手段を介して送信する処理をさらに行なう
ことを特徴とする請求項３７乃至３９のいずれかに記載の画像データ処理装置。
【手続補正３】
【補正対象書類名】明細書
【補正対象項目名】０００１
【補正方法】変更
【補正の内容】
【０００１】
【産業上の利用分野】
この発明は、画像読取方法およびシステム、画像データ処理装置に関し、特に、画像を読み取るための設定や読み取った画像に対する処理を容易に行うことのできる画像読取方法およびシステム、画像データ処理装置に関する。
【手続補正４】
【補正対象書類名】明細書
【補正対象項目名】００１０
【補正方法】変更
【補正の内容】
【００１０】
そこで、この発明は、ネットワークやサーバの負荷を軽減するとともに読み取った画像に対する定型的な処理を容易に行うことができるようにした画像読取方法およびシステム、画像データ処理装置を提供することを目的とする。
【手続補正５】
【補正対象書類名】明細書
【補正対象項目名】００４４
【補正方法】変更
【補正の内容】
【００４４】
また、請求項３４の発明では、請求項２９の発明において、前記他の装置は、メールサーバとファックスサーバとプリントサーバとのうちのいずれかであり、前記読取画像はメールとファックスとのいずれかによる送信若しくはプリンタから印刷されることを特徴とする。
また、請求項３５の発明では、ネットワークを介して他の装置との情報の通信を行なう通信手段と、画像を読み取る画像議取手段と、前記画像読取手段が読み取った画像に対して施す処理の内容を含む処理情報を前記通信手段を介して他の装置から受け取る受信手段と、前記受信手段が受け取った処理情報に基づく処理を施す処理手段とを具備することを特徴とする。
また、請求項３６の発明では、請求項３５の発明において、前記処理情報は、送信先に関する情報を含み、前記処理手段は、前記画像読取手段が読み取った画像を前記送信先に関する情報に基づいて前記通信手段を介して送信する処理を行なうことを特徴とする。
また、請求項３７の発明では、請求項３５の発明において、前記処理情報は、前記画像読取手段が画像を読み取った画像に対して施す変換に関する情報を含み、前記処理手段は、前記画像読取手段が読み取った画像に対して前記変換に関する情報に基づいて変換処理を行なうことを特徴とする。
また、請求項３８の発明では、請求項３７の発明において、前記変換に関する情報は、符号化に関するものであり、前記処理手段は、符号化処理を行なうことを特徴とする。
また、請求項３９の発明では、請求項３７の発明において、前記変換に関する情報は、倍率に関するものであり、前記処理手段は、変倍変換処理を行なうことを特徴とする。
また、請求項４０の発明では、請求項３７乃至３９のいずれかの発明において、前記処理情報は、さらに送信先に関する情報を含み、前記処理手段は前記変換に関する情報に基づく変換が施された画像を前記送信先に関する情報に基づいて前記通信手段を介して送信する処理をさらに行なうことを特徴とする。
【手続補正６】
【補正対象書類名】明細書
【補正対象項目名】００４５
【補正方法】変更
【補正の内容】
【００４５】
【実施例】
以下、この発明に係る画像読取方法およびシステム、画像データ処理装置の一実施例について添付図面を参照して詳細に説明する。